(57)【特許請求の範囲】
【請求項１】
表示面側渡り部とネック側渡り部とが管軸方向部でつながれたサドル型の垂直偏向コイルを備え、陰極線管に装着される偏向ヨークであって、
前記垂直偏向コイルの前記表示面側渡り部を、陰極線管の表示面側から管軸方向に見たときに、
前記表示面側渡り部は、前記管軸を通る表示面対角方向の軸を挟む両側に、前記管軸からの距離が、表示面対角方向における前記管軸からの距離より大きい部位があることを特徴とする偏向ヨーク。
【請求項２】
前記管軸を通る表示面対角方向の軸を挟む両側の前記管軸からの距離、及び前記表示面対角方向における前記管軸からの距離は、それぞれ前記管軸と前記表示面側渡り部の外縁との間の距離である請求項１に記載の偏向ヨーク。
【請求項３】
前記管軸を通る表示面対角方向の軸を挟む両側の前記管軸からの距離、及び前記表示面対角方向における前記管軸からの距離は、それぞれ前記管軸と前記表示面側渡り部の内縁との間の距離である請求項１に記載の偏向ヨーク。
【請求項４】
表示面側渡り部とネック側渡り部とが管軸方向部でつながれたサドル型の垂直偏向コイルを備え、陰極線管に装着される偏向ヨークであって、
前記垂直偏向コイルの前記表示面側渡り部を、陰極線管の表示面側から管軸方向に見たときに、
表示面対角方向の軸を管軸上の点を中心として、正方向、負方向のそれぞれに１０度回転したときに、この回転した軸と前記表示面側渡り部とが重なり合う範囲を表示面対角方向近傍とすると、
前記表示面側渡り部の前記管軸からの距離は、前記表示面対角方向近傍の部位において最小であることを特徴とする偏向ヨーク。
【請求項５】
前記表示面側渡り部の外縁から前記管軸に垂線をおろしたときに、前記表示面対角方向近傍の部位において前記垂線の長さが最小となる請求項４に記載の偏向ヨーク。
【請求項６】
前記表示面側渡り部の内縁から前記管軸に垂線をおろしたときに、前記表示面対角方向近傍の部位において前記垂線の長さが最小となる請求項４に記載の偏向ヨーク。
【請求項７】
前記表示面側渡り部の表示面側の端部が、同一面上に位置している請求項１から６のいずれかに記載の偏向ヨーク。
【請求項８】
前記表示面側渡り部の表示面側の端部が、前記表示面対角方向近傍の部位とそれ以外の部位とで異なる面上に位置している請求項１から６のいずれかに記載の偏向ヨーク。
【請求項９】
前記表示面側渡り部のうち前記表示面対角方向近傍の部位が陰極線管の表示面側から管軸方向に見たときに直線状である請求項１から６のいずれかに記載の偏向ヨーク。
【請求項１０】
前記表示面側渡り部のうち前記表示面対角方向近傍の部位が、前記管軸に向かって凸の少なくとも１つの円弧からなる請求項１から６のいずれかに記載の偏向ヨーク。
【発明の詳細な説明】
【０００１】
【発明の属する技術分野】
本発明は、ＴＶやコンピュータモニタ等の陰極線管に用いられる偏向ヨークに関し、特に偏向コイルの形状に関するものである。
【０００２】
【従来の技術】
図１１は、陰極線管と偏向ヨークとからなる陰極線管装置の側面半断面図（上半分のみ断面）を示す。陰極線管８は、前面パネル１内面に表示面（蛍光スクリーン面）２を有するガラスバルブ３と、ネック部４内に表示面２にシャドウマスク５を通して電子ビーム６を照射する電子銃７とを備える。陰極線管８のいわゆるコーン部に偏向ヨーク９が装着される。
偏向ヨーク９は、最も内側の陰極線管に接するところに水平偏向コイル１１を有し、その外側にセパレータ１２、垂直偏向コイル１３、コア１４が順次重なるように組み立てられている。セパレータ１２は、水平偏向コイル１１と垂直偏向コイル１３とを絶縁及び固定する。
【０００３】
水平偏向コイル及び垂直偏向コイルは、サドル型のコイルであって、前面パネル１側の渡り部（以下「表示面側渡り部」という）と電子銃７側の渡り部（以下「ネック側渡り部」という）と、表示面側渡り部とネック側渡り部とをつなぐ管軸方向部とからなる。なお、渡り部はアーク部と、管軸方向部はコーン部とも呼ばれる。
【０００４】
図１２は、垂直偏向コイル１３の半体を表示面側から見た図を示す。左右方向の軸がＸ軸、上下方向の軸がＹ軸であり、図示しないＺ軸が管軸に相当する。このようなサドル型の垂直偏向コイル１３を有する偏向ヨークにおいては、垂直偏向コイル１３の表示面側渡り部１５の形状は、図１２に示すようにほぼ円弧状に形成されている。
【０００５】
図１３（ａ）は、一般的なセルフコンバーゼンス磁界を発生する偏向ヨークによって偏向された電子ビームによる、表示面上の走査線の歪み（これを「ラスター歪」と呼ぶ）を示している。図１３（ａ）に示すような、左右の糸巻き状の歪を左右ピンクッション歪１６といい、内部における左右ピンクッション歪を左右内部ピンクッション歪１７という。
【０００６】
従来、左右ピンクッション歪１６を補正する周知技術として、ＴＶやコンピュータモニターセットにおいて、ピンクッショントランスを用いた構成、又は水平偏向回路の電源電圧を変調する構成などを用いた、左右ピンクッション歪補正回路により補正する技術がある（例えば特許文献１、２参照。）。
【０００７】
図１３（ｂ）は、左右ピンクッション歪を従来の左右ピンクッション歪補正回路によって補正した後に残留する左右内部ピンクッション歪１８を示す。このような左右内部ピンクッション歪１８の補正方法として、水平及び垂直偏向電流が流れて動作するリアクターコイルからなる補正コイルを偏向ヨークに設けるものがある（例えば特許文献３参照）。また、偏向ヨークの大口径側（表示面側）のＸ軸及びＹ軸上に各２個、合計４個のマグネットを取り付けるものがあった（例えば特許文献４参照。）。
【０００８】
【特許文献１】
特開平６−３１５０９４号公報
【特許文献２】
特開平９−１８１９３１号公報
【特許文献３】
特開平９−１４９２８３号公報
【特許文献４】
実公平７−３９１６３号公報
【０００９】
【発明が解決しようとする課題】
しかしながら、特許文献４に開示されている補正方法では、左右内部ピンクッション歪を補正するために新たにマグネットを付加するので、部品点数が増えて構造が複雑になり、組み立て工数も増えるという問題があった。さらに、マグネットの取り付け誤差が生じた場合、それによって補正能力のばらつきが生じ、画像を表示した時の歪の大きさにばらつきができるという問題があった。また、特許文献３に開示されている補正方法では、新たに補正コイルを付加し、その電流源として水平、垂直偏向電流を用いるために、その分偏向パワーが増大するという問題があった。
【００１０】
また、近年、ＴＶやコンピュータモニターセット用カラー陰極線管の表示面平面化や省スペース化のため広偏向角化が進んでおり、偏向収差が増大し左右内部ピンクッション歪の増大が問題となっている。
【００１１】
本発明の目的は、前記課題を解決し、左右内部ピンクッション歪を補正するための部品を追加したり、偏向パワーを増加させることなく、簡単な構成で偏向コイル自体が作る磁界によって左右内部ピンクッション歪を補正することができる偏向ヨークを提供することにある。
【００１２】
【課題を解決するための手段】
前記目的を達成するために、本発明の第１の偏向ヨークは、表示面側渡り部とネック側渡り部とが管軸方向部でつながれたサドル型の垂直偏向コイルを備え、陰極線管に装着される偏向ヨークであって、
前記垂直偏向コイルの前記表示面側渡り部を、陰極線管の表示面側から管軸方向に見たときに、
前記表示面側渡り部は、前記管軸を通る表示面対角方向の軸を挟む両側に、前記管軸からの距離が、表示面対角方向における前記管軸からの距離より大きい部位があることを特徴とする。
【００１３】
次に、本発明の第２の偏向ヨークは、表示面側渡り部とネック側渡り部とが管軸方向部でつながれたサドル型の垂直偏向コイルを備え、陰極線管に装着される偏向ヨークであって、
前記垂直偏向コイルの前記表示面側渡り部を、陰極線管の表示面側から管軸方向に見たときに、
表示面対角方向の軸を管軸上の点を中心として、正方向、負方向のそれぞれに１０度回転したときに、この回転した軸と前記表示面側渡り部とが重なり合う範囲を表示面対角方向近傍とすると、
前記表示面側渡り部の前記管軸からの距離は、前記表示面対角方向近傍の部位において最小であることを特徴とする。
【００１４】
【発明の実施の形態】
本発明の第１の偏向ヨークは、表示面側渡り部は、管軸を通る表示面対角方向の軸を挟む両側に、管軸からの距離が、表示面対角方向における管軸からの距離より大きい部位があり、第２の偏向ヨークは、表示面側渡り部の管軸からの距離は、表示面対角方向の部位において最小であるので、電子ビームの偏向領域の内、表示面対角方向近傍の部位において電子ビームに働くローレンツ力のＸ成分が相対的に大きくなり、これに伴い左右内部ピンクッション歪が左右ピンクッション歪みに比べて相対的に小さくなる。そのため、従来より周知の左右ピンクッション歪補正回路を用いて左右ピンクッション歪みを補正した際に、左右内部ピンクッション歪みの残留量を小さくすることができる。
【００１５】
前記第１の偏向ヨークにおいては、前記管軸を通る表示面対角方向の軸を挟む両側の前記管軸からの距離、及び前記表示面対角方向における前記管軸からの距離は、それぞれ前記管軸と前記表示面側渡り部の外縁との間の距離であることが好ましい。
【００１６】
また、前記管軸を通る表示面対角方向の軸を挟む両側の前記管軸からの距離、及び前記表示面対角方向における前記管軸からの距離は、それぞれ前記管軸と前記表示面側渡り部の内縁との間の距離であることが好ましい。
前記第２の偏向ヨークにおいては、前記表示面側渡り部の外縁から前記管軸に垂線をおろしたときに、前記表示面対角方向近傍の部位において前記垂線の長さが最小となることが好ましい。
【００１７】
また、前記表示面側渡り部の内縁から前記管軸に垂線をおろしたときに、前記表示面対角方向近傍の部位において前記垂線の長さが最小となることが好ましい。
【００１８】
また、前記第１、第２の偏向ヨークにおいては、前記表示面側渡り部の表示面側の端部が、同一面上に位置していることが好ましい。この構成においては、表示面側対角方向の部位に比べて、それ以外の部位の管軸からの距離が大きくなるように偏向コイルが形成される。
【００１９】
また、前記表示面側渡り部の表示面側の端部が、表示面対角方向近傍の部位とそれ以外の部位とで異なる面上に位置していることが好ましい。この構成によれば、表示面対角方向近傍の部位のみ電子銃側に後退させ、かつ、表示面側渡り部全域にわたってセパレータに沿うようにでき、表示面対角方向近傍の部位において管軸からの距離を最小にすることができる。また、表示面側渡り部の全域にわたって、陰極線管外面又はセパレータに偏向コイルを密着させることができるので、偏向エネルギの効率の低下を招くことがない。
【００２０】
また、前記表示面側渡り部のうち前記表示面対角方向近傍の部位が陰極線管の表示面側から管軸方向に見たときに直線状であることが好ましい。この構成によっても、表示面対角方向の部位の管軸からの距離を最小にすることができる。
【００２１】
また、前記表示面側渡り部のうち前記表示面対角方向近傍の部位が、前記管軸に向かって凸の少なくとも１つの円弧からなることが好ましい。この構成によっても、表示面対角方向の部位の管軸からの距離を最小にすることができる。
【００２２】
以下、本発明を垂直偏向コイルに適用した実施の形態について、図面を用いて説明する。図１１を用いて説明した陰極線管及び偏向ヨークの基本構成は、本実施の形態においても同様であるので説明を省略し、本発明の特徴部である偏向コイルの形状について詳細に説明する。
（実施の形態１）
【００２３】
図１（ａ）は、実施の形態１に係る垂直偏向コイルを上面又は下面からＹ軸方向に見た側面概略図を示している。図１（ｂ）は、図１（ａ）のＡ方向矢視図、すなわち垂直偏向コイルを陰極線管表示面側から管軸（Ｚ軸）方向に見た正面概略図である。本実施の形態に係る垂直偏向コイルは、左右１対の垂直偏向コイルで構成されているが、図１（ａ）、（ｂ）は片側半分を図示している。このことは、以下の各図においても同様である。
【００２４】
垂直偏向コイル２０は、表示面側渡り部５１と、ネック側渡り部５３と、表示面側渡り部５１とネック側渡り部５３とをつなぐサドル型の管軸方向部５２とで構成される。
【００２５】
表示面側渡り部５１の表示面側の端部は、陰極線管の管軸に垂直な平面上に位置する。これを表示面側から見た形状は、図１（ｂ）に示すように、対角方向近傍部５１ａにおいて管軸からの距離が最小となり、Ｘ軸近傍部５１ｂ及びＹ軸近傍部５１ｃにおいて管軸からの距離が大きくなる形状である。言い換えれば、表示面側渡り部の内縁又は外縁から管軸に垂線（管軸に直交する線）をおろしたときに、対角方向近傍部５１ａにおいて垂線の長さが最小となる。
【００２６】
より具体的には、図１（ｂ）に示したように、Ｘ軸とＹ軸とで仕切られた第１象限（右上部分）における垂線のうち、対角方向近傍部５１ａにおける垂線２３の長さが最小であり、垂線２３はＸ軸近傍部５１ｂにおける垂線２２、及びＹ軸近傍部５１ｃにおける垂線２４より短くなっている。
【００２７】
図１（ｂ）では、各垂線が表示面側渡り部の内縁から管軸におろした垂線の例で説明したが、表示面側渡り部の外縁から管軸におろした垂線の場合であっても、対角方向近傍部５１ａにおける垂線の長さが最小となることは同じである。
【００２８】
なお、対角方向とは表示面の対角方向のことである。また、表示面側渡り部の対角方向近傍部とは、表示面側渡り部のうち、管軸を通る対角方向の軸を挟む領域のことであり、より具体的には、対角方向の軸を管軸上の点を中心として、正方向、負方向のそれぞれに１０度程度回転したときに、この回転した軸と表示面側渡り部とが重なり合う範囲のことである。
【００２９】
また、第１象限の例で説明したが、第２象限（左上部分）、第３象限（左下部分）、第４象限（右下部分）においても、表示面側渡り部は、対角方向近傍部において管軸からの距離が最小となる形状である。
【００３０】
このような構成とするため、対角方向近傍部５１ａをセパレータ１２の外周２１（図１１のａ部に相当）と密着させる一方で、Ｘ軸近傍部５１ｂ及びＹ軸近傍部５１ｃと、セパレータ１２の外周２１との間に空隙２５を設けて、管軸からの距離を大きくしている。
【００３１】
次に、本発明の垂直偏向コイルによる左右内部ピンクッション歪の補正作用について説明する。図２は、偏向磁界によって表示面の第１象限（表示面側から見て）へ電子ビームを偏向したときの電子ビームの軌道７１と、垂直偏向コイルの表示面側渡り部５１に流れる偏向電流の向き７３と、表示面側渡り部５１から発生する磁界の向き７４と、その磁界中の電子ビームに働くローレンツ力のＸ方向成分Ｆｘとを示す図である。図中、●印が電子ビームの断面を、白抜きの矢印がローレンツ力を示す。磁界中の電子ビームに働くローレンツ力のＸ方向成分Ｆｘは、次の（１）式で表されることが知られている。
【００３２】
Ｆｘ＝−ｅ×Ｖｙ×Ｂｚ・・・・・・（１）
ここで、ｅは電子の電荷量、Ｖｙは電子の速度のＹ成分、Ｂｚは磁界のＺ成分である。
【００３３】
本発明は、表示面側渡り部５１の形状を工夫することよって、ローレンツ力Ｆｘを表示面の位置ごとに増減させるものである。図３は、本発明の垂直偏向コイル半体の表示面側渡り部５１と、電子ビームの偏向領域８２と、偏向領域８２中の３点における電子ビーム（●印）に働くローレンツ力Ｆｘ（白抜き矢印）との関係を示す図である。電子ビームは偏向磁界により偏向領域８２内で偏向される。偏向領域８２の内、左右内部ピンクッション歪が生じる付近の上端部付近における磁界Ｂｚの大きさをＢｚｃ、ローレンツ力のＸ成分ＦｘをＦｘｃ、対角方向の角部付近でのＢｚをＢｚａ、ＦｘをＦｘａ、Ｘ軸端部付近でのＢｚをＢｚｂ、ＦｘをＦｘｂとする。
【００３４】
図３に示すように、表示面側渡り部５１と電子ビームとの距離は偏向領域８２の対角方向角部又はその近傍において最小となることから、表示面側渡り部５１が発生する磁界のＺ成分の大小関係はＢｚａ＞Ｂｚｂ、Ｂｚａ＞Ｂｚｃとなり、（１）式より電子ビームに働くローレンツ力のＸ成分の大小関係はＦｘａ＞Ｆｘｂ、Ｆｘａ＞Ｆｘｃとなる。
【００３５】
さらに、Ｘ軸近傍部５１ｂ及びＹ軸近傍部５１ｃと管軸との距離を大きくとっているので、セパレータ１２と密着している従来の場合と比べてＦｘｂとＦｘｃは小さくなる。その結果、図４（ａ）に示すように、表示面側渡り部の形状がほぼ円弧状の従来の垂直偏向コイルと比べて、左右ピンクッション歪についてはＦｘｂが小さくなることから従来の曲線１６（破線で示す）から曲線９１（実線で示す）へと大きくなり、左右内部ピンクッション歪についてはＦｘｃが小さくなることから従来の曲線１７（破線で示す）から曲線９２（実線で示す）へと小さくなる。
【００３６】
このように本発明は、左右ピンクッション歪を従来よりも大きくする一方で、左右内部ピンクッション歪を従来よりも小さくするので、従来から周知の左右ピンクッション歪補正回路を用いて、左右ピンクッション歪と左右内部ピンクッション歪を同時に適正に補正することができる。
【００３７】
本発明によれば、左右内部ピンクッション歪が左右ピンクッション歪に比べて相対的に小さくなるため、従来一般に用いられている前述の左右ピンクッション歪補正回路を用いて左右ピンクッション歪を直線になるまで補正する場合、左右ピンクッション歪補正量は従来よりも大きくなるが、同時に補正される左右内部ピンクッション歪の補正量は従来よりも小さくて足りる。そのため、左右ピンクッション歪を補正しても、従来（図１３（ｂ））のような左右内部ピンクッション歪が残留せず、図４（ｂ）に示すように左右内部ピンクッション歪も直線４２のように補正される。
【００３８】
（実施の形態２）
図５（ａ）は、実施の形態２に係る垂直偏向コイルを上面又は下面から見た側面図を示している。図５（ｂ）は、図５（ａ）に示した垂直偏向コイルをセパレータ１２に装着した状態のＡ矢視図であり、図１１のＩ−Ｉ線における断面図に相当する。
【００３９】
実施の形態１においては表示面側渡り部５１の表示面側の端部が管軸と垂直な面上に位置しているが、本実施の形態における表示面側渡り部５１の表示面側の端部は、図５（ａ）に示すように表示面対角方向の部位とそれ以外の部位とが同一面上ではなく異なる面上に位置している。
【００４０】
表示面側渡り部５１のうち、Ｘ軸近傍部５１ｂとＹ軸近傍部５１ｃとは同一面上に位置しており、対角方向近傍部５１ａだけが電子銃側に後退して設けられている。対角方向近傍部５１ａの位置におけるセパレータの外径は、Ｘ軸近傍部５１ｂ及びＹ軸近傍部５１ｃと比べて相対的に小さい。偏向ヨークが装着される陰極線管の部位は円錐形又は角錐形であるため、電子銃側に寄るほど陰極線管の外径すなわちセパレータ１２の外径が小さくなるからである。
【００４１】
したがって、表示面側渡り部５１をその内面全域にわたりセパレータに沿うような形状に形成すると、表示面側から見た形状は図１（ｂ）に示すものと同様に、対角方向近傍部５１ａにおいて管軸からの距離が最小になる。言い換えれば、表示面側渡り部５１の内縁又は外縁から管軸に垂線をおろしたときに、表示面対角方向近傍部５１ａにおいて垂線の長さが最小となる。
【００４２】
図５（ｂ）に、このことを具体的に示している。破線３４は電子銃側に後退した部分のセパレータ１２の外径を示しており、渡り部５１の対角方向近傍部５１ａの内縁は破線３４の位置で当接していることになる。すなわち、対角方向近傍部５１ａから管軸におろした垂線３５の長さは、Ｘ軸近傍部５１ｂの内縁から管軸におろした垂線３６、及びＹ軸近傍部５１ｃの内縁から管軸におろした垂線３７の長さより短くなっている。
【００４３】
実施の形態１と同様に、電子ビームに働くローレンツ力Ｆｘは、図３の場合と同様にＦｘａ＞Ｆｘｂ、Ｆｘａ＞Ｆｘｃとなり、左右内部ピンクッション歪を低減することができる。
【００４４】
実施の形態１の場合、管軸から表示面対角方向近傍部５１ａまでの距離を最小とするために、Ｘ軸近傍部５１ｂ及びＹ軸近傍部５１ｃとセパレータ１２との間に必要以上の空隙を設けなければならない。これに対して本実施の形態によれば、表示面側渡り部５１の全域にわたり、セパレータ１２に密着させることができるので、偏向エネルギの効率の低下を回避できるという有利な効果を有する。
【００４５】
（実施の形態３）
図６（ａ）は実施の形態３に係る垂直偏向コイルの上面又は下面から見た側面図を、図６（ｂ）は図６（ａ）のＡ矢視図をそれぞれ示す。
【００４６】
本実施の形態では、表示面側渡り部５１の管軸方向の厚さｔを、対角方向近傍部５１ａがそれ以外の部位５１ｂ、５１ｃより相対的に厚くなるようにしている。対角方向近傍部５１ａの管軸方向厚さｔを相対的に大きくした分、当該部位の径方向の厚さを小さくできるので、図６（ｂ）に示すように、表示面側渡り部５１の内径をほぼ円弧状に保ちつつ、対角方向近傍部５１ａのみ管軸から外縁までの距離を小さくすることができる。
【００４７】
実施の形態１及び２と同様に、電子ビームに働くローレンツ力Ｆｘは、Ｆｘａ＞Ｆｘｂ、Ｆｘａ＞Ｆｘｃとなり、左右内部ピンクッション歪を低減することができる。
【００４８】
対角方向近傍部５１ａの管軸方向厚さｔをＸ軸近傍部５１ｂ及びＹ軸近傍部５１ｃよりも大きくするための形態として、従来の偏向コイルに比べて対角方向近傍部５１ａを厚くするものと、Ｘ軸近傍部５１ｂ及びＹ軸近傍部５１ｃを薄くして径方向の大きさを大きくするものと、２種類の形態がある。このうち後者においては、表示面側渡り部の表面積が大きくなり、放熱性が高まり、偏向コイルの温度上昇を低減できるという効果がある。
【００４９】
また、実施の形態２と同様に本実施の形態によれば、表示面側渡り部５１の内縁が円弧状であるため表示面側渡り部５１の全域にわたり、セパレータ１２と密着させることができる。
【００５０】
（実施の形態４）
図７は、実施の形態４に係る垂直偏向コイルの正面図を示す。本実施の形態では、表示面側渡り部５１のＸ軸付近、Ｙ軸付近にコイル巻線が存在しない空間１００をそれぞれ形成している。このような空間１００を設けることにより、管軸から対角方向近傍部５１ａまでの距離を実質的に最小にしたのと同じことになり、対角方向近傍部における磁界の強さを前記の各実施の形態と同様に相対的に高めることができる。
【００５１】
本実施の形態によれば、電子ビームに働くローレンツ力ＦｘはＦｘａ＞Ｆｘｂ、Ｆｘａ＞Ｆｘｃとなり、左右内部ピンクッション歪を低減することができる。
【００５２】
また、空間１００を設けたことにより偏向コイルの表面積が大きくなり、放熱性が高まり、偏向コイルの温度上昇を低減できるという効果もある。
【００５３】
（実施の形態５）
図８は、実施の形態５に係る垂直偏向コイルの正面図を示す。本実施の形態では、対角方向近傍部５１ａの形状を表示面側から見て直線形状とすることで、管軸から対角方向近傍部５１ａまでの距離を最小とし、対角方向近傍部における磁界の強さを相対的に高めている。
【００５４】
（実施の形態６）
前記各実施の形態は、表示面側渡り部の管軸からの距離が、表示面対角方向近傍の部位において最小となる実施の形態である。これに対して、実施の形態６は、表示面側渡り部は、管軸を通る表示面対角方向の軸を挟む両側に、管軸からの距離が、表示面対角方向における管軸からの距離より大きい部位があるという実施の形態である。
【００５５】
図９は、実施の形態６に係る垂直偏向コイル３０の正面図を示している。軸３１は、管軸を通る表示面対角方向の軸である。線３２、線３３はそれぞれ、表示面側渡り部のうち、軸３１を挟む両側の部位の内縁から管軸におろした垂線である。線３２及び線３３の長さは、軸３１のうち管軸と表示面側渡り部の内縁との間の長さ３１ａより大きくなっている。
【００５６】
この関係は、前記各実施の形態についても同様であるが、本実施の形態では、長さ３１ａは、線３２及び線３３の長さより短いものの、管軸と表示面側渡り部の内縁との間の距離の最小値ではない。図９の例では、長さ３１ａは、Ｘ軸上の長さ３４、Ｙ軸上の長さ３５より長くなっている。
【００５７】
前記各実施形態のように、長さ３１ａが最小値であることが好ましいが、本実施の形態のように、長さ３１ａが最小値でなくても、表示面側渡り部が、対角方向の軸３１を挟む両側に、長さ３１ａより長い線３１及び線３２がある形状になっていれば、垂直偏向コイル自体が作る磁界によって左右内部ピンクッション歪を補正できるいう効果は得られる。
【００５８】
なお、管軸と表示面側渡り部の内縁との間の距離の例で説明したが、表示面側渡り部の外縁との間の距離の場合であっても同様である。また本実施の形態を前記実施の形態２から５のいずれかと組み合わせてもよい。
【００５９】
図１０は、４６センチ（１９インチ）カラー陰極線管用偏向ヨークに用いられる垂直偏向コイルの表示面側渡り部５１の形状寸法の一例を示す図である。図１０において、線２６は、渡り部内縁から対角方向に管軸におろした垂線、線２７は、対角方向近傍部の内縁から管軸におろした垂線、線２８は、Ｘ軸近傍部の内縁から管軸におろした垂線、線２９は、Ｙ軸近傍部の内縁から管軸におろした垂線、長さ３０は、Ｘ軸上における管軸と渡り部内縁との間の長さ、長さ３１は、Ｙ軸上における管軸と渡り部内縁との間の長さをそれぞれ示している。
【００６０】
本実施例では、線２６の長さは５５．９７２ｍｍ、線２７の長さは５５．６６３ｍｍ、線２８の長さは６３．３７４ｍｍ、線２９の長さは５６．９６２ｍｍ、長さ３０は６１．４５８ｍｍ、長さ３１は４７．６２２ｍｍであり、
Ｘ軸近傍部の線２８、及びＹ軸近傍部の線２９の長さに比べ、対角方向近傍部の線２７の長さが短くなっている。
このような寸法関係により、渡り部の形状は、図１０に示すように、対角方向近傍部において、管軸に向いて凸の円弧状となっている。
【００６１】
表示面側渡り部がほぼ円形状の従来の偏向ヨークの場合（図１２）、左右ピンクッション歪（理想的な直線との差の最大値）は１５．５ｍｍ、左右内部ピンクッション歪は６．７ｍｍであり、左右ピンクッション歪補正回路で左右ピンクッション歪を補正した後の左右内部ピンクッション歪は０．８ｍｍであった。これに対して、本発明の前記実施の形態では、左右ピンクッション歪は１５．９ｍｍ、左右内部ピンクッション歪は６．４ｍｍ、従来の左右ピンクッション歪補正回路で補正後の左右内部ピンクッション歪は０．４ｍｍとなった。
【００６２】
すなわち、左右ピンクッション歪は補正前で０．４ｍｍ増大した一方、左右内部ピンクッション歪は０．３ｍｍ低減した。そして、左右ピンクッション歪補正回路で左右ピンクッション歪を直線状に補正した際に残留する左右内部ピンクッション歪が０．４ｍｍ低減した。
【００６３】
以上に説明したように本発明によれば、垂直偏向コイル自体が作る磁界によって左右内部ピンクッション歪を相対的に低減できるので、余計な部品を付加したり、偏向パワーを増加させたりすることなく、一般的な左右ピンクッション歪補正回路を用いて、左右内部ピンクッション歪を低減することができる。
【００６４】
なお、本発明を水平偏向コイルに適用すれば、上下ピンクッション歪の補正を行うこともできる。
【００６５】
【発明の効果】
本発明の偏向ヨークは、補正コイルやマグネットなどの余計な部品を付加することなく、偏向コイル自身の作る磁界によって偏向画像歪の左右内部ピンクッション歪を低減することができる、簡素な構成の偏向ヨークを提供するものである。
【図面の簡単な説明】
【図１】（ａ）本発明の実施の形態１に係る垂直偏向コイルの側面図
（ｂ）図１（ａ）のＡ矢視図
【図２】垂直偏向コイルの表示面側渡り部が発生する磁界と電子ビームに働くローレンツ力との関係を示す図
【図３】本発明に係る垂直偏向コイルの表示面側渡り部の形状と偏向領域中の電子ビームに働くローレンツ力との関係を示す図
【図４】（ａ）左右ピンクッション歪を回路補正する前の左右ピンクッション歪及び左右内部ピンクッション歪を従来技術と本発明とで比較して示す図
（ｂ）本発明において左右ピンクッション歪を回路補正することにより左右内部ピンクッション歪が補正された様子を示す図
【図５】（ａ）本発明の実施の形態２に係る垂直偏向コイルの側面図
（ｂ）図５（ａ）のＡ矢視図
【図６】（ａ）本発明の実施の形態３に係る垂直偏向コイルの側面図
（ｂ）図６（ａ）のＡ矢視図
【図７】本発明の実施の形態４に係る垂直偏向コイルの正面図
【図８】本発明の実施の形態５に係る垂直偏向コイルの正面図
【図９】本発明の実施の形態６に係る垂直偏向コイルの正面図
【図１０】本発明に係る垂直偏向コイルの一実施例の形態を示す図
【図１１】陰極線管及び偏向ヨークの一例の側面半断面図
【図１２】従来の垂直偏向コイルの半体の一例を示す正面図
【図１３】（ａ）セルフコンバーゼンス磁界に起因して生じる左右ピンクッション歪及び左右内部ピンクッション歪を示す図
（ｂ）左右ピンクッション歪を回路補正した後に残留する左右内部ピンクッション歪を示す図
【符号の説明】
２  表示面
８  陰極線管
９  偏向ヨーク
１１  水平偏向コイル
１２  セパレータ
１３，２０，３３  垂直偏向コイル
５１  表示面側渡り部
５１ａ  対角方向近傍部
５１ｂ  Ｘ軸近傍部
５１ｃ  Ｙ軸近傍部
５２  管軸方向部
５３  ネック側渡り部
【図１】
0004199498.tif 000002
【図２】
0004199498.tif 000003
【図３】
0004199498.tif 000004
【図４】
0004199498.tif 000005
【図５】
0004199498.tif 000006
【図６】
0004199498.tif 000007
【図７】
0004199498.tif 000008
【図８】
0004199498.tif 000009
【図９】
0004199498.tif 000010
【図１０】
0004199498.tif 000011
【図１１】
0004199498.tif 000012
【図１２】
0004199498.tif 000013
【図１３】
0004199498.tif 000014